(57)【要約】加熱可能なフィラメント（１）または電極を有する光源であって、その場合にフィラメント（１）または電極はバルブ（２）内またはチューブ内に配置されており、かつその場合にバルブ（２）またはチューブは内面（３）と外面（４）を有する、前記光源は、光源の寿命の延長に関して、バルブ（２）内またはチューブ内に内面（３）から汚れおよび／または堆積（８）を除去するための手段（７）が配置されているように、形成され、かつ展開されている。
2006514409.tif 000002
【特許請求の範囲】
【請求項１】
加熱可能なフィラメント（１）または電極を有し、その場合に前記フィラメント（１）または前記電極がバルブ（２）内またはチューブ内に配置されており、かつその場合に前記バルブ（２）または前記チューブが内面（３）と外面（４）とを有している、光源において、
前記バルブ（２）内または前記チューブ内に、前記内面（３）から汚れおよび／または堆積（８）を除去するための手段（７）が配置されていることを特徴とする光源。
【請求項２】
前記手段（７）が、前記内面（３）上で案内可能であることを特徴とする請求項１に記載の光源。
【請求項３】
前記手段（７）が、固体を有していることを特徴とする請求項１または２に記載の光源。
【請求項４】
前記手段（７）が、研磨剤であることを特徴とする請求項１から３のいずれか１項に記載の光源。
【請求項５】
前記手段（７）が、粉末または顆粒を有していることを特徴とする請求項１から４のいずれか１項に記載の光源。
【請求項６】
前記手段（７）が、スクラップ、チップまたはウールを有していることを特徴とする請求項１から５のいずれか１項に記載の光源。
【請求項７】
前記手段（７）が、溶剤を有していることを特徴とする請求項１から６のいずれか１項に記載の光源。
【請求項８】
前記手段（７）が、常磁性であることを特徴とする請求項１から７のいずれか１項に記載の光源。
【請求項９】
前記バルブ（２）または前記チューブの前記外面（４）に、磁石（９）が対応づけられていることを特徴とする請求項１から８のいずれか１項に記載の光源。
【請求項１０】
前記バルブ（２）または前記チューブに、前記磁石（９）のためのガイドが対応づけられていることを特徴とする請求項９に記載の光源。
【請求項１１】
前記手段（７）が、前記汚れおよび／または堆積（８）を少なくとも部分的に化学的および／または物理的に結合するように形成されていることを特徴とする請求項１から１０のいずれか１項に記載の光源。
【請求項１２】
前記手段（７）が、コーティングを有していることを特徴とする請求項１から１１のいずれか１項に記載の光源。
【請求項１３】
前記コーティングが、化学的にほぼ不活性であることを特徴とする請求項１２に記載の光源。
【請求項１４】
前記コーティングが、温度に強く、特に高温に強いことを特徴とする請求項１２または１３に記載の光源。
【請求項１５】
前記コーティングが、低い蒸気圧を有していることを特徴とする請求項１２から１４のいずれか１項に記載の光源。
【請求項１６】
前記コーティングが、セラミック、特に酸化物セラミックを有していることを特徴とする請求項１２から１５のいずれか１項に記載の光源。
【請求項１７】
前記コーティングが、金属、特にタンタルを有していることを特徴とする請求項１２から１６のいずれか１項に記載の光源。
【請求項１８】
前記手段（７）および／または前記汚れおよび／または前記堆積（８）が、前記バルブ（２）または前記チューブの保管領域（１０）内に配置可能であり、あるいは配置されていることを特徴とする請求項１から１７のいずれか１項に記載の光源。
【請求項１９】
前記保管領域（１０）が、前記光源の駆動の間比較的冷たい領域であることを特徴とする請求項１８に記載の光源。
【請求項２０】
前記保管領域（１０）に、前記手段（７）および／または前記汚れおよび／または前記堆積（８）のための固定手段が対応づけられていることを特徴とする請求項１８または１９に記載の光源。
【請求項２１】
前記固定手段が、磁石または接着剤を有していることを特徴とする請求項２０に記載の光源。
【発明の詳細な説明】
【技術分野】
【０００１】
本発明は、加熱可能なフィラメントまたは電極を有する光源に関するものであって、その場合にフィラメントまたは電極はバルブ内またはチューブ内に配置されており、かつその場合にバルブまたはチューブは内面と外面とを有している。
【背景技術】
【０００２】
話題となっている種類の光源は、ずっと以前から実際において知られており、様々な実施形態で存在している。その場合に特に、白熱電球、ハロゲン電球および低電圧または高電圧仕様の放電ランプ並びに電子的な発光ダイオードが知られている。光源は、熱電子放出、ガスの衝突励起あるいは、たとえば蛍光管における、発光作用に基づいている。
【０００３】
たとえば白熱電球として形成された光源においては、バルブ内に加熱可能なフィラメントが配置されており、そのフィラメントは光放出のために高い温度に加熱される。この高い温度において、しばしば、バルブ内に存在するガス雰囲気とフィラメントとの間に化学的反応プロセスが発生する。さらに、それぞれ加熱温度に応じて、フィラメント材料の蒸発が可能である。これらのプロセスは、突然、短時間および激しく発生し、その場合に結果においてバルブの内面に材料堆積が生じる可能性があって、その材料堆積はフィラメントから放出された光がバルブを通過するのを妨げ、あるいは完全に阻止する。たとえば炭化タンタルフィラメントが使用される場合に、バルブの内面に炭素の堆積が発生する。
【０００４】
バルブの内面の上述した堆積と汚れは、光源の寿命全体を制限する。というのは、堆積量がある程度大きい場合に、発生される光がバルブを通過することが著しく低減されて、光源により発生される光量がもはや所望の適用のために十分ではなくなることがある。その場合に最終的に、光源は、必要な光出力を保証する、新しい光源と取り替えられなければならない。光源のこの種の交換は、コストを伴い、かつ環境負荷をもたらす。
【発明の開示】
【発明が解決しようとする課題】
【０００５】
従って本発明の課題は、構造的に簡単な手段で光源の寿命が延長可能である、冒頭で挙げた種類の光源を提供することである。
【課題を解決するための手段】
【０００６】
本発明によれば、上述した課題は、特許請求項１の特徴を有する光源によって解決される。それによれば、冒頭で挙げた種類の光源は、バルブ内またはチューブ内に、内面から汚れおよび／または堆積を除去するための手段が配置されているように、形成され、かつ展開されている。
【０００７】
本発明に基づく方法において、バルブの内面の汚れおよび／または堆積によってバルブを通しての光の透過が減少された場合に、光源を交換して捨てることは、必ずしも必要でないことが認識された。本発明に基づく課題を驚くほど簡単に解決するために、バルブ内またはチューブ内に、内面から汚れおよび／または堆積を除去する手段が配置されている。この種の手段によって、バルブまたはチューブの内側から、内面の汚れおよび／または堆積を除去することが可能であって、その結果、その光源を再び良好な透過で駆動することができる。従って光源の交換は、回避される。
【０００８】
従って本発明に基づく光源によって、構造的に簡単な手段で寿命が延長された光源が提供される。
【０００９】
バルブの内面の汚れおよび／または堆積の特に確実な除去を保証するために、手段は内面上で案内可能である。それによってバルブまたはチューブの内面の汚れおよび／または堆積と手段との確実な相互作用が保証される。
【００１０】
手段と汚れおよび／または堆積との間の確実な干渉に関して、手段は固体を有することができる。具体的には、汚れおよび／または堆積を確実に除去するための手段は、研磨剤であることができる。
【００１１】
具体的な形態において、手段は、粉末または顆粒を有することができる。それによって特に簡単な手段が提供される。
【００１２】
その代わりに、あるいはそれに加えて、手段がスクラップ、チップまたはウールを有することができる。その場合にそれぞれの適用場合およびバルブまたはチューブによってもたらされるそれぞれの条件に合わせられる。
【００１３】
さらに、汚れおよび／または堆積の確実な除去に関して、手段は溶剤を有することができる。その場合に機械的な清掃効果の代わりに、あるいはそれに加えて、汚れおよび／または堆積の化学的溶融を行うことができる。
【００１４】
特に実用的な方法においては、手段は常磁性であることができる。その場合に手段は、バルブまたはチューブの外側の磁石によって、バルブまたはチューブの内面に接して案内することができる。具体的にはそのために、バルブまたはチューブの外面に、磁石を対応づけることができる。
【００１５】
バルブまたはチューブの外側の磁石の移動に関して、手動で磁石のほぼ任意の運動を行うことができる。光源の特に快適な形態においては、バルブまたはチューブに、磁石のための、たとえばレールの形式の、ガイドを対応づけることができる。その場合に磁石は、手動でガイドに沿って案内することができ、その場合にそのガイドは、内面の、清掃することのできる領域を間接的に前もって定める。ガイドに沿った磁石の案内は、磁石をガイドに沿って機械的に移動させる、付加的な移動装置によって行うこともできる。具体的には、磁石は、ローブまたはチェーンによって案内することができる。それによって汚れおよび／または堆積の時間的に予め定めることのできる、ほぼ自動的な除去が可能である。
【００１６】
他の形態において、手段は、少なくとも部分的に、汚れおよび／または堆積を化学的および／または物理的に結合するように形成することができる。汚れおよび／または堆積の物理的結合に関して、手段と汚れおよび／または堆積との間に磁気的な相互作用を設けることができる。汚れおよび／または堆積の結合によって、これらの汚れおよび／または堆積が、バルブまたはチューブの内面から除去された後に、光源駆動を妨害することが、回避される。
【００１７】
存在しているプロセスガスとの障害反応を回避するために、手段はコーティングを有することができる。この種のコーティングは、好ましくは化学的にほぼ不活性なので、プロセスガスとの反応が特に確実に回避される。
【００１８】
コーティングの永続的な安定性に関して、コーティングを温度に強く、特に高温に強くすることができる。従ってフィラメントの駆動温度が高く、それに伴って手段への熱放射が高い場合でも、手段の機能とコーティングが損なわれることが、ほぼ回避される。
【００１９】
手段からの妨害ガスの発生を阻止するために、コーティングは低い蒸気圧を有することができる。それによって永続的なコーティングが保証される。
【００２０】
具体的には、コーティングはセラミック、特に酸化物セラミックを有することができる。それによって、特に確実かつ簡単なコーティングが実現される。
【００２１】
その代わりに、あるいはそれに加えて、コーティングは金属、特にタンタルを有することができる。タンタルは、低い蒸気圧を有する。
【００２２】
バルブ内またはチューブ内の手段および／または汚れおよび／または堆積の確実な保管に関して、手段および／または汚れおよび／または堆積は、その除去後にバルブまたはチューブの保管領域内に配置することができる。それによって手段および／または汚れおよび／または堆積による光源駆動の妨害が回避される。この種の保管領域は、光源の駆動の間比較的冷たい領域である。それによって蒸発または、手段および／または汚れおよび／または堆積と存在しているプロセスガスおよび／またはフィラメントまたは電極との間の障害反応が、ほぼ回避される。
【００２３】
手段および／または汚れおよび／または堆積の特に確実な保管に関して、保管領域に手段および／または汚れおよび／または堆積のための固定装置を対応づけることができる。この種の固定装置は、特に簡単な方法において、磁石または接着剤を有することができる。それによって手段および／または汚れおよび／または堆積の特に確実な保管が実現される。
【００２４】
堆積として、たとえば炭化タンタルフィラメントを使用する場合には、炭素が問題となる可能性があり、その炭素はバルブまたはチューブの内面の煤付着をもたす。常磁性の手段として、あるいは常磁性の固体として、鉄を用いることができる。
【００２５】
堆積が発生した後に、バルブ内またはチューブ内のばらの、研磨性の固体によって、たとえばバルブまたはチューブに外で接して案内される磁石によって、たとえば粉末、顆粒、スクラップ、チップまたはウールがバルブまたはチューブの煤の付着した、汚れた、あるいは堆積を有する内面上を引きずられることにより、可能な煤付着または汚れおよび／または堆積を除去することができる。その場合に固体は、煤および／または汚れおよび／または堆積をこすり落し、それまたはそれらを部分的に結合することもできる。この清掃プロセスまたは再生プロセスの後に、利用された研磨性の固体は、同様に磁石によってまたは接着剤によってバルブ内またはチューブ内で、たとえばバルブまたはチューブの冷たい領域内に固定することができるので、固体は、フィラメントまたは電極またはフィラメントベースまたは電気的な接点との接触によってランプ駆動を妨害しない。
【００２６】
手段として用いられる鉄あるいは使用される常磁性の物質が、存在するプロセスガスとの障害反応をもたらす場合には、使用される手段または使用される固体粒子を、たとえば、高温に強いセラミック材料または酸化物セラミックのような、化学的にほぼ不活性な物質あるいはたとえば低い蒸気圧を有するタンタルのような金属によって、コーティングすることができる。
【００２７】
本発明の教示を好ましい方法で実施し、かつ展開する種々の可能性がある。それについて、一方では、特許請求項に従属する請求項を、他方では図面を用いて以下で行う、本発明の２つの好ましい実施例の説明を参照することができる。図面による本発明の好ましい実施例の説明との組合わせにおいて、教示の一般的に好ましい形態と展開も説明する。
【発明を実施するための最良の形態】
【００２８】
図１は、本発明に基づく光源の第１の実施例の概略的な側面図を示している。光源は、加熱可能なフィラメント１を有しており、その場合にフィラメント１は、バルブ２の中に配置されている。バルブ２は、内面３と外面４を有している。フィラメント１は、電気的な接点５と６を介して加熱可能である。
【００２９】
光源の寿命の延長に関して、光源は、バルブ２内に内面２から汚れおよび／または堆積８を除去する手段７が配置されるように、形成されている。その場合に手段７は、内面３上で案内することができる。そのために、ランプバルブ２が手で移動されるので、手段７が堆積８と接触して、この堆積８を内面３からこすり取る。そのために手段７は、研磨剤として形成されている。手段７は、具体的には、粉末または顆粒を有している。
【００３０】
堆積８および／または汚れを除去するための第２の可能性は、手段７が常磁性であって、図２に示す磁石９によって内面３に沿って案内可能であることにある。その場合に汚れおよび／または堆積８を除去するために、バルブ２を移動させる必要はない。
【００３１】
図１に示す光源の第１の実施例も、図２に示す第２の実施例も、バルブ２の保管領域１０を有しており、その中に手段７および／または汚れおよび／または堆積８が配置可能である。それによって、バルブ２内に配置されている手段７による、および／または汚れおよび／または堆積８による光源駆動の妨害が回避される。その場合に保管領域１０は、光源の駆動の間比較的冷たい領域である。
【００３２】
保管領域１０に、さらに、手段７および／または汚れおよび／または堆積８のための固定装置を対応づけることができる。この種の固定装置は、磁石または接着剤を有することができ、両者は、手段７および／または汚れおよび／または堆積８を保管領域１０内に保持するために用いることができる。
【００３３】
本発明に基づく教示の他の好ましい形態と展開に関して、繰返しを避けるために、一方で、明細書の一般的な部分を、そして他方では添付の特許請求項を参照することができる。
【００３４】
最後に、特に強調するが、上で純粋に恣意的に選択された実施例は、本発明に基づく教示を説明するためだけに用いられるものであって、本発明の教示をこの実施例に限定するものではない。
【図面の簡単な説明】
【００３５】
【図１】本発明に基づく光源の第１の実施例を概略的に示す側面図である。
【図２】本発明に基づく光源の第２の実施例を概略的に示す側面図である。
【図１】
2006514409.tif 000003
【図２】
2006514409.tif 000004
【国際調査報告】
2006514409.tif 000005
2006514409.tif 000006
2006514409.tif 000007
2006514409.tif 000008